(57)【要約】【課題】耐油性に優れたキースイッチを提供すること。【解決手段】キースイッチ１０の突起部２４の摺動面２６は、キートップ１２に近接する側に位置する第１領域３２であって、動線１４に対し第１範囲の角度α（５０°＜α＜７０°）を成して延びる第１領域３２と、ベース２２に近接する側に位置する第２領域３４であって、動線１４に対し第１範囲の角度αよりも小さい第２範囲の角度β（１０°＜β＜５０°）を成して延びる第２領域３４とを備えている。突起部２４の摺動面２６から接点３０で受ける荷重により板ばね２８が生じるばね力の、昇降動作の方向への力成分が、キートップ１２が昇降動作の上限位置３６から下降動作するに従い、漸増した後にステップ状に減少する特性を示す。【選択図】図２
2012069413.tif 000002
【特許請求の範囲】
【請求項１】
キートップと、該キートップを昇降動作可能に支持する支持部材と、該支持部材に対して固定的に配置され、該キートップの昇降動作に対応して開閉する電気接点と、該キートップと該支持部材との間に配置され、該キートップを該電気接点から離れる方向へ弾性的に付勢する付勢機構と、該支持部材及び該電気接点を担持するベースとを具備するキースイッチにおいて、
前記付勢機構は、
前記キートップに対向する突出形状を有して前記支持部材に対し固定的に配置される突起部であって、前記キートップの前記昇降動作の動線に対し複数の異なる角度を成して前記昇降動作の方向に対応する方向へ延長される摺動面を有する突起部と、
前記キートップに片持ち支持される板ばねであって、前記キートップが前記動作の動線に沿って昇降動作する間、前記突起部の前記摺動面に摺動接触する接点を有する板ばねとを備え、
前記突起部の前記摺動面は、前記キートップに近接する側に位置する第１領域であって、前記動線に対し第１範囲の角度を成して延びる第１領域と、前記ベースに近接する側に位置する第２領域であって、前記動線に対し該第１範囲の角度よりも小さい第２範囲の角度を成して延びる第２領域とを備え、
前記突起部の前記摺動面から前記接点で受ける荷重により前記板ばねが生じるばね力の、前記昇降動作の方向への力成分が、前記キートップが前記昇降動作の上限位置から下降動作するに従い、漸増した後にステップ状に減少する特性を示すこと、
を特徴とするキースイッチ。
【請求項２】
前記突起部の前記摺動面は、前記第２領域よりも前記ベースに近接する側に位置する第３領域であって、前記動線に対し前記第１範囲の角度よりも大きい第３範囲の角度を成す第３領域をさらに備え、前記板ばねが生じる前記ばね力の前記力成分が、前記キートップの前記下降動作の間、前記ステップ状に減少した後に再び漸増する特性を示す、請求項１に記載のキースイッチ。
【請求項３】
前記付勢機構は、前記板ばねから独立した弾性部材であって、前記キートップの前記昇降動作の移動距離に応じて線形変化する弾性付勢力を前記キートップに加える弾性部材をさらに備える、請求項１又は２に記載のキースイッチ。
【請求項４】
前記突起部は、互いに対称な一対の前記摺動面を有し、前記板ばねは、該一対の摺動面のそれぞれに摺動接触する一対の前記接点を有する、請求項１〜３のいずれか１項に記載のキースイッチ。
【請求項５】
前記付勢機構は、互いに離間配置される一対の前記突起部と、該一対の突起部のそれぞれの前記摺動面に前記接点で摺動接触する一対の前記板ばねとを備える、請求項１〜４のいずれか１項に記載のキースイッチ。
【請求項６】
前記支持部材は、前記突起部及び前記板ばねを収容する空洞部を画定する筒壁部分を有する、請求項１〜５のいずれか１項に記載のキースイッチ。
【請求項７】
前記キートップの前記昇降動作に対応して前記電気接点を開閉させる作動部材をさらに具備し、該作動部材が、前記支持部材の前記空洞部に収容される、請求項６に記載のキースイッチ。
【請求項８】
請求項１〜７のいずれか一項に記載のキースイッチを複数備えたことを特徴とするキーボード。
【発明の詳細な説明】
【技術分野】
【０００１】
本発明は、打鍵操作されるキースイッチに関し、特に、ノート型パーソナルコンピュータ等の携帯用電子機器に装備されたキーボードで使用されるキースイッチに関する。さらに本発明は、そのようなキースイッチを複数備えたキーボードに関する。
【背景技術】
【０００２】
特許文献１に記載の従来のキースイッチは、データ入力キーを少なくとも１個備え、データ入力キーが、キートップと、キートップの押し下げ時にクリック感を与えるためのドームが形成されたエンボスシートと、キートップの押し下げによりドームを介し押圧されて電気接点を開成するスイッチ素子と、キートップとドームとの間にキートップのストロークを得るためコイルばねまたは板ばね等のばね手段と、を設けている。
【０００３】
特許文献２に記載の別の従来のキースイッチは、押し下げ力を下方に伝達するキートップと、キートップの下部に固定されるプランジャーと、プランジャーの下部に常時接して位置するコイルスプリングと、コイルスプリングの下端に固定されコイルスプリングと共に移動する可動接点と、コイルスプリング及び可動接点の中心部に挿入され、キートップ押し下げ時の上下の移動に対してコイルスプリングと可動接点の案内棒となるＵ字形のガイドバーと、ガイドバーの先端と垂直に位置し固定され可動接点のストッパーとなり、かつキートップ押し下げ時に可動接点と接触する固定接点プレートと、プランジャーをガイドしコイルスプリング可動接点、ガイドバー、固定接点プレートを包含するケースと、からなる。
【先行技術文献】
【特許文献】
【０００４】
【特許文献１】特開平７-５６６６３号公報
【特許文献２】特開昭６０-１４８０１８号公報
【発明の概要】
【発明が解決しようとする課題】
【０００５】
特許文献１のドームはＰＥＴ（ポリエチレンテレフタレート）フィルム等のエンボスシートで形成されているため耐油性に劣り、油を使用する環境では、ドームが劣化し次第にキーの感触が悪くなる恐れがある。
【０００６】
特許文献２のキースイッチでは、キートップ押し下げ時にコイルスプリングの座屈により、押し下げ力が軽減されクリック感を伴う感触が生じる。しかし、ガイドバーがＵ字型なので、コイルスプリングが座屈した際に、コイルスプリング同士が絡み合い、押し下げ力を取り除いてもキートップが元の位置に戻らなくなり、キーの感触が悪くなる恐れがある。
【０００７】
従って、本発明の目的は、耐油性があると共に、キーの感触が悪くならないキースイッチおよび、そのようなキースイッチを備えたキーボードを提供することである。
【課題を解決するための手段】
【０００８】
上記目的を達成するために、請求項１に記載の発明は、キートップと、キートップを昇降動作可能に支持する支持部材と、支持部材に対して固定的に配置され、キートップの昇降動作に対応して開閉する電気接点と、キートップと支持部材との間に配置され、キートップを電気接点から離れる方向へ弾性的に付勢する付勢機構と、支持部材及び電気接点を担持するベースとを具備するキースイッチにおいて、付勢機構は、キートップに対向する突出形状を有して支持部材に対し固定的に配置される突起部であって、キートップの昇降動作の動線（キートップの中心が昇降する際に移動する位置を繋げた線）に対し複数の異なる角度を成して昇降動作の方向に対応する方向へ延長される摺動面を有する突起部と、キートップに片持ち支持される板ばねであって、キートップが動線に沿って昇降動作する間、突起部の摺動面に摺動接触する接点を有する板ばねとを備え、突起部の摺動面は、キートップに近接する側に位置する第１領域であって、動線に対し第１範囲の角度を成して延びる第１領域と、ベースに近接する側に位置する第２領域であって、動線に対し第１範囲の角度よりも小さい第２範囲の角度を成して延びる第２領域とを備え、突起部の摺動面から接点で受ける荷重により板ばねが生じるばね力の、昇降動作の方向への力成分が、キートップが昇降動作の上限位置から下降動作するに従い、漸増した後にステップ状に減少する特性を示すこと、を特徴とするキースイッチを提供する。
【０００９】
請求項２の発明は、請求項１の発明において、突起部の摺動面は、第２領域よりもベースに近接する側に位置する第３領域であって、動線に対し第１範囲の角度よりも大きい第３範囲の角度を成す第３領域をさらに備え、板ばねが生じるばね力の力成分が、キートップの下降動作の間、ステップ状に減少した後に再び漸増する特性を示す、キースイッチを提供する。
【００１０】
請求項３の発明は、請求項１又は２の発明において、付勢機構は、板ばねから独立した弾性部材であって、キートップの昇降動作の移動距離に応じて線形変化する弾性付勢力をキートップに加える弾性部材をさらに備える、キースイッチを提供する。
【００１１】
請求項４の発明は、請求項１〜３のいずれか一項の発明において、突起部は、互いに対称な一対の摺動面を有し、板ばねは、一対の摺動面のそれぞれに摺動接触する一対の接点を有する、キースイッチを提供する。
【００１２】
請求項５の発明は、請求項１〜４のいずれか一項の発明において、付勢機構は、互いに離間配置される一対の突起部と、一対の突起部のそれぞれの摺動面に接点で摺動接触する一対の板ばねとを備える、キースイッチを提供する。
【００１３】
請求項６の発明は、請求項１〜５のいずれか一項の発明において、支持部材は、突起部及び板ばねを収容する空洞部を画定する筒壁部分を有する、キースイッチを提供する。
【００１４】
請求項７の発明は、請求項６の発明において、キートップの昇降動作に対応して電気接点を開閉させる作動部材をさらに具備し、作動部材が、支持部材の空洞部に収容される、キースイッチを提供する。
【００１５】
請求項８の発明は、請求項１〜７のいずれか一項に記載のキースイッチを複数備えたことを特徴とするキーボードを提供する。
【発明の効果】
【００１６】
請求項１に記載の発明によれば、付勢機構は、キートップに対向する突出形状を有して支持部材に対し固定的に配置される突起部であって、キートップの昇降動作の動線に対し複数の異なる角度を成して昇降動作の方向に対応する方向へ延長される摺動面を有する突起部と、キートップに片持ち支持される板ばねであって、キートップが動線に沿って昇降動作する間、突起部の摺動面に摺動接触する接点を有する板ばねとを備え、突起部の摺動面は、キートップに近接する側に位置する第１領域であって、動線に対し第１範囲の角度を成して延びる第１領域と、ベースに近接する側に位置する第２領域であって、動線に対し第１範囲の角度よりも小さい第２範囲の角度を成して延びる第２領域とを備え、突起部の摺動面から接点で受ける荷重により板ばねが生じるばね力の、昇降動作の方向への力成分が、キートップが昇降動作の上限位置から下降動作するに従い、漸増した後にステップ状に減少する特性を示すこと、を特徴とするので、シリコンラバーなどで作られたラバードームを使用していないので、油を使用する環境でも耐油性があり、劣化のためにキーの感触が悪くならないと共に、キートップ押し下げ時に、ラバードームと同様の、感触の良いクリック感を得ることができる。
【００１７】
請求項２に記載の発明によれば、突起部の摺動面は、第２領域よりもベースに近接する側に位置する第３領域であって、動線に対し第１範囲の角度よりも大きい第３範囲の角度を成す第３領域をさらに備え、板ばねが生じるばね力の力成分が、キートップの下降動作の間、ステップ状に減少した後に再び漸増する特性を示すので、キートップ押し下げ時に、ばね力の昇降動作の方向への力成分が、漸増した後ステップ状に減少し、その後漸増するので、キーを打鍵したことが明確にわかる。
【００１８】
請求項３に記載の発明によれば、付勢機構は、板ばねから独立した弾性部材であって、キートップの昇降動作の移動距離に応じて線形変化する弾性付勢力をキートップに加える弾性部材をさらに備えるので、板ばねが第２範囲の角度を成して延びる第２領域にあって、キートップを昇降動作の上限位置に付勢する力が弱いときであっても、キートップが上限位置に戻らなくなることを防ぐことができる。
【００１９】
請求項４に記載の発明によれば、突起部は、互いに対称な一対の摺動面を有し、板ばねは、一対の摺動面のそれぞれに摺動接触する一対の接点を有するので、昇降動作の方向の荷重特性のばらつきを少なくすることができ、キートップ押し下げ時にキートップのがたつきをなくすことができる。
【００２０】
請求項５に記載の発明によれば、付勢機構は、互いに離間配置される一対の突起部と、一対の突起部のそれぞれの摺動面に接点で摺動接触する一対の板ばねとを備えるので、キートップ押し下げ時に、キートップを偏らずに安定して押し下げることができる。
【００２１】
請求項６に記載の発明によれば、支持部材は、突起部及び板ばねを収容する空洞部を画定する筒壁部分を有するので、突起部及び板ばねに異物が付着しにくく、キートップを押し下げる際にキーの感触が変化しないキースイッチを提供できる。
【００２２】
請求項７に記載の発明によれば、キートップの昇降動作に対応して電気接点を開閉させる作動部材をさらに具備し、作動部材が、支持部材の空洞部に収容されるので、作動部材に対応する、メンブレンシート部分に電気接点を設けることができ、キートップの中心位置に電気接点を配置することができるので、キートップの押し下げに正確に反応するキースイッチを提供できる。
【００２３】
請求項８に記載の発明によれば、請求項１〜７のいずれか一項に記載のキースイッチを複数備えたことを特徴とするので、油を使用する環境でも耐油性があり、劣化のためにキーの感触が悪くならないと共に、キートップ押し下げ時に、ラバードームと同様の、感触の良いクリック感のキーボードを提供することができる。
【図面の簡単な説明】
【００２４】
【図１】本発明の実施形態によるキースイッチ１０の組立図。
【図２】キースイッチ１０の分解斜視図。
【図３】図１のIII-III断面図。
【図４】図１のIＶ-IＶ断面図。
【図５】キースイッチ１０を押し下げたときの板ばね２８の動作を示す図。
【図６】図５の板ばね２８が受ける荷重を模式的に示した図。
【図７】図３の変形例を示す図。
【図８】コイルばね４２の押し下げ特性を示す図。
【図９】板ばね２８の押し下げ特性を示す図。
【図１０】図８と図９を重ね合わせた図。
【図１１】キースイッチ１０を複数備えたキーボードの斜視図。
【発明を実施するための形態】
【００２５】
以下、添付図面を参照して、本発明をその好適な実施の形態に基づき詳細に説明する。各図面において、同一又は類似の構成要素には共通の参照符号を付す。
【００２６】
図面を参照すると、図１は本発明の実施形態によるキースイッチ１０の組立図であり、図２はキースイッチ１０の分解斜視図である。図３は図１のIII-III断面図（板ばね２８が配置される部位の断面図）であり、図４は図１のIV-IV断面図である。なお、図３は、キースイッチ１０の中心よりも外側にずれた位置の断面であり、図４はキースイッチ１０の中心を通る断面である。
【００２７】
キースイッチ１０は、キートップ１２と、キートップ１２を昇降動作可能に支持する支持部材１６と、支持部材１６に対して固定的に配置され、キートップ１２の昇降動作に対応して開閉する電気接点１８と、キートップ１２と支持部材１６との間に配置され、キートップ１２を電気接点１８から離れる方向へ弾性的に付勢する付勢機構２０と、支持部材１６及び電気接点１８を担持するベース２２とを具備する。電気接点１８は、メンブレンシートスイッチ５０上に設けられている。
【００２８】
図３に示すように、付勢機構２０は、キートップ１０に対向する突出形状を有して支持部材１６に対し固定的に配置される突起部２４と、キートップ１２に片持ち支持される板ばね２８とを有する。キートップ１２は、キートップ１２の上限位置を定めるように、キートップカバー１３によって保持されている。図２に示すように、板ばね２８は、断面略コ字状の板部材２８ａの外側両表面（片面側のみ図示）に突設されている。すなわち、板ばね２８は、板部材２８ａの両側に一対設けられ、その上端部はそれぞれ板部材２８ａに支持され、その支持部よりも下部は、それぞれ図の矢印方向に弾性変形可能である。付勢機構２０は、板ばね２８から独立した弾性部材として、キートップ１２の昇降動作の移動距離に応じて線形変化する弾性付勢力をキートップ１２に加える弾性部材４０（例えばコイルばね４２）をさらに備える。
【００２９】
支持部材１６の空洞４４内には、板ばね２８に対応して一対の突起部２４が離間して配置されている。図３に示すように、突起部２４は、キートップ１２の昇降動作の動線１４に対し複数の異なる角度を成して昇降動作の方向に対応する方向へ延長される摺動面２６を有する。図５は、キースイッチ１０を押し下げたときの板ばね２８の動作を示す図であり、キートップ１２が動線１４（図３）に沿って昇降動作する間、板ばね２８の先端の接点３０は突起部２４の摺動面２６に摺動接触し、板ばね２８は外側に弾性変形する。
【００３０】
図２に示すように、支持部材１６には、突起部２４及び板ばね２８を収容するための空洞部４４を画定する筒壁部分４６が設けられている。図４に示すように、さらに空洞部４４には、スイッチ作動用の作動部材４８（例えばコイルばね５２）が収容され、作動部材４８の上端部は、キートップ１２により支持されている。作動部材４８は、板部材２８ａ（図２）を貫通し、その下端部がキートップ１２の昇降動作に対応してメンブレンシートスイッチ５０を押圧し、スイッチ５０の電気接点１８を開閉させる。
【００３１】
図６は、キートップ１２を押し下げたときに板ばね２８が受ける荷重を模式的に示す図である。突起部２４の摺動面２６は、キートップ１２に近接する側に位置する第１領域３２と、第１の領域３２に連なり、ベース２２に近接する側に位置する第２の領域３４とを有する。第１の領域３２は、動線１４に対し第１範囲の角度α（例えば５０°＜α＜７０°）をなし、第２領域３４は、動線１４に対し第１範囲αの角度よりも小さい第２範囲の角度β（例えば１０°＜β＜５０°）をなす。板ばね２８は、突起部２４の摺動面２６から接点３０で受ける荷重によりばね力を発揮し、そのばね力の昇降動作方向における力成分は、後述するようにキートップ１２が昇降動作の上限位置３６から下降動作するに従い、漸増した後にステップ状に減少する特性となる（図１０参照）。
【００３２】
更に、突起部２４の摺動面２６は、第２の領域３４に連なり、第２領域３４よりもベース２２に近接する側に位置する第３領域３８を有し、第３の領域３８は、動線１４に対し第１範囲の角度αよりも大きい第３範囲の角度γ（例えば７０°＜γ＜９０°）をなす。この第３領域３８を設けたことにより、板ばね２８で生じるばね力の昇降動作方向における力成分は、後述するようにキートップ１２の下降動作の間、ステップ状に減少した後に、再び漸増する特性を示す（図１０参照）。
【００３３】
図６のＢ位置とＡ位置とを比較すると、Ｂ位置の鉛直方向の荷重（Ｂｙ）の方が、Ａ位置の鉛直方向の荷重（Ａｙ）よりも大きい。キートップ１２を押し下げていくと、第２領域３４においてキートップ１２を押し下げる荷重が急激に減少するので、これによりキートップ１２を押し下げたときのクリック感が得られる。
【００３４】
ここで、図１のキートップ１２の押し下げ特性について説明する。図８、９は、それぞれコイルばね４２および板ばね２８の押し下げ特性を示す図である。図中、縦軸は荷重Ｆ、横軸はキートップ１２の移動距離Ｙである。図８に示すように、コイルばね４２については、キートップ１２を押し下げるにつれ、すなわちキートップ１２の移動距離Ｙに比例して荷重Ｆが増加する。
【００３５】
これに対し、図９に示すように、板ばね２８については、キートップ１２を押し下げるにつれ、すなわち突起部２４の摺動面２６が第１領域３２にあるときにキートップ１２の移動距離Ｙに比例して荷重Ｆが増加するが、摺動面２６が第２領域３４にあるときには、荷重が急激に減少し、その後、摺動面２６が、第３領域３８にあるときに荷重Ｆが増加する。このように第２領域３４への移行時に荷重が急激に減少することで、ユーザが良好なクリック感を得ることができる。
【００３６】
図１０は、図８と図９を重ね合わせることにより得られる押し下げ特性を示す図である。縦軸は荷重Ｆ、横軸はキートップ１２の移動距離Ｙである。図１０では、キートップ１２を押し下げるにつれ、すなわち突起部２４の摺動面２６が第１領域３２にあるときにキートップ１２の移動距離Ｙに比例して荷重Ｆが増加するが、摺動面２６が第２領域３４になると、荷重が急激に減少してクリック感が生じ、その後、第３領域３８に移動するにつれて荷重Ｆが増加する。これは図９の板ばね２８の押し下げ特性と良く似ているが、図８のコイルばね４２の押し下げ特性が加わるため、キー押し下げ時の荷重が大きくなりクリック感が明確になるとともに、キートップ１２を誤って触ったときの誤動作を防ぐことができる。
【００３７】
以上では、キートップ１２により片持ち支持される板ばね２８を設けるとともに、この板ばね２８に対応してキートップ１２に対向する突出形状を呈する突起部２４を、支持部材１６に対して固定的に配設し、キースイッチ１０を構成した。このため、シリコンラバーなどで作られたラバードームを使用していないので、油を使用する環境でも耐油性があり、劣化のためにキーの感触が悪くならないとともに、キートップ１２の押し下げ時に、ラバードームと同様の、感触の良いクリック感を得ることができる。また、キートップ１２の押し下げ時において、ばね力の昇降動作方向への力成分は、漸増した後にステップ状に減少し、その後漸増するので、ユーザはキーを打鍵したことを明確に認識でき、良好な操作性が得られる。
【００３８】
さらに、本実施形態では、キートップ１２の昇降動作の移動距離に応じて線形変化する弾性付勢力をキートップ１２に加える弾性部材４０を、板ばね２８から独立して設けるようにした。これにより、板ばね２８が第２領域３４にある場合で、キートップ１２を昇降動作の上限位置３６に付勢する力が弱いときであっても、キートップ１２が上限位置３６に戻らなくなることを防ぐことができる。
【００３９】
さらにまた、本実施の形態では、支持部材１６に、空洞部４４を画定する筒壁部分４６を設けるようにした。これにより、空洞部４４内の突起部２４及び板ばね２８に異物が付着しにくく、キートップ１２を押し下げる際にキーの感触が変化しないキースイッチ１０を提供できる。
【００４０】
また、本実施の形態では、キートップ１２の昇降動作に対応してメンブレンシートスイッチ５０の電気接点１８を開閉させる作動部材４８を設け、作動部材４８を支持部材１６の空洞部４４に収容するようにした。これにより、作動部材４８に対応するメンブレンシートスイッチ５０に電気接点３０を設けることができ、キートップ１２の動線１４上に電気接点３０を配置することができるので、キートップ１２の押し下げに正確に反応するキースイッチ１０を提供できる。
【００４１】
さらに、本実施の形態では、互いに離間配置される一対の突起部２４のそれぞれの摺動面２６に、接点３０で摺動接触する一対の板ばね２８を設けるようにした。これにより、キートップ１２押し下げ時に、キートップ１２を偏らずに安定して押し下げることができる。
【００４２】
図１１に示すように、以上のキースイッチ１０を複数配設して、キーボード６４を構成することもできる。これにより、耐油性のあるキーボート６４とすることができ、油を使用する環境での劣化を防ぐことができる。このため、キーの感触を悪化することがなく、キートップ１２押し下げ時に、ラバードームと同様の感触の良いクリック感が得られる。
【００４３】
図７は、本実施の形態の変形例を示す図である。図７では、突起部２６の両側における一対の対称な摺動面２６に対応して一対の板ばね２８を設け、一対の接点３０が、各摺動面２６のそれぞれに摺動接触するように構成している。これにより、昇降動作方向の荷重特性のばらつきを少なくすることができ、キートップ１２押し下げ時にキートップ１２のがたつきを抑えることができる。
【００４４】
なお、以上では、互いに離間配置される一対の突起部２４の各片側の摺動面２６あるいは各両側の摺動面２６に、接点３０で摺動接触する板ばね２８を設けるようにしたが、突起部２４と板ばね２８の個数は上述したものに限らない。すなわち、突起部２４を１つだけとし、この突起部２４の片側または両側の摺動面２６に摺動接触するように板ばね２８を設けてもよい。また、突起部２４を３つ以上とし、各突起部２４の片側または両側の摺動面２６に摺動接触するようにそれぞれ板ばね２８を設けてもよい。
【符号の説明】
【００４５】
１０    キースイッチ
１２    キートップ
１４    動線
１６    支持部材
１８    電気接点
２０    付勢機構
２２    ベース
２４    突起部
２６    摺動面
２８    板ばね
３０    接点
３２    第１領域
３４    第２領域
３８    第３領域
４０    弾性部材
４２    コイルばね
４４    空洞部
４６    筒壁部分
４８    作動部材
５０    メンブレンシートスイッチ
【図１】
2012069413.tif 000003
【図２】
2012069413.tif 000004
【図３】
2012069413.tif 000005
【図４】
2012069413.tif 000006
【図５】
2012069413.tif 000007
【図６】
2012069413.tif 000008
【図７】
2012069413.tif 000009
【図８】
2012069413.tif 000010
【図９】
2012069413.tif 000011
【図１０】
2012069413.tif 000012
【図１１】
2012069413.tif 000013